(57)【要約】      （修正有）【課題】乳幼児の敷、掛布団を運搬する際に、乳幼児を連れていたり、他に荷物がある時でも、専用の布団袋を使用せずに、敷布団を折り畳み、その内側にはさんだ掛布団等を落とさず、敷、掛布団等を安定した状態で、楽に運搬する事のできる布団袋を兼ねた敷布団カバーの提供。【解決手段】布団袋を兼ねる為に、敷布団カバー１の上端と下端に持ち手２を設けるとともに、左右両側に互いに協働する留め具を設けた。又、敷布団として使用する際に、乳幼児の頭や手足等がひっかかる危険のないように、前記持ち手又は、留め具を収納できる収納部を設けるか、又は、前記持ち手又は、留め具を固定する固定具を設けた。又、前記留め具は、留め具同士に連結構造をもたせた、布団袋を兼ねた敷布団カバー。【選択図】図３
0003118404.tif 000002
【実用新案登録請求の範囲】
【請求項１】
上端と下端に持ち手を設けるとともに、左右両側に互いに協働する留め具を設けたことを特徴とする布団袋を兼ねた敷布団カバー
【請求項２】
持ち手又は留め具を収納できる収納部を設けるか、又は、持ち手又は留め具を固定する固定具を設けたことを特徴とする請求項１記載の布団袋を兼ねた敷布団カバー
【請求項３】
敷布団カバー両側の留め具は、留め具同士の連結構造を持つことを特徴とする請求項１、２記載の布団袋を兼ねた敷布団カバー
【考案の詳細な説明】
【技術分野】
【０００１】
本考案は、乳幼児用の布団袋を兼ねた敷布団カバーに関する
【背景技術】
【０００２】
乳幼児の布団を運搬する際、専用の袋を用意するか、布団を丸めたり、折ったりして運んでいたが、乳幼児を連れていたり、他に荷物があったりすると、布団が不安定な状態になり、落ちやすく運搬しにくかった。又、その為、何度かにわけて運ぶこともあり大変不便であった。
【０００３】
敷布団を三つ折りにして、掛布団等をその三つ折りの、３分の１の折り込みの中に入れ、敷、掛布団を携帯できる物もあるが、軟らかい材質の布団にしか使用できず、乳幼児に窒息等の危険のないように、よく使用される硬い材質の布団で、二つ折りにしかならない物に使用すると、折り込みがなくなる為、敷布団の内側にはさんだ掛布団等が落ちやすく、又、持ち手の長さが違い、足りなくなる為、布団袋としては、使用しずらい。
【０００４】
掛、敷布団カバーに持ち手が付いた物はあるが、運搬の際は、折り畳んだ布団の間に隙間があきやすく、布団が不安定な状態になりやすい、又、その為、内側にはさんだ布団等が落ちやすく不便である。
【０００５】
敷布団に持ち手とジッパーがつき、掛布団等を収納、携帯できる鞄状の物もあるが、手持ちの掛、敷布団等を運搬する際に利用しようと思うと、専用の袋を用意するのと同じ事になり不便であるし、又、敷布団の外皮周縁部にあるジッパーを周回し、ジッパーを開閉するのも大変である、又、ジッパーを閉める事により、敷布団内側に掛布団等をはさみ、運搬できるようになっている為、内側にはさめる布団の大きさ、厚さにも限度があり、手持ちの敷布団等の運搬には不向きである。又、汚れたりした場合には、敷布団を洗濯することになるが、洗濯がしずらい。
【考案の開示】
【考案が解決しようとする課題】
【０００６】
乳幼児の敷、掛布団を運搬する際に、乳幼児を連れていたり、他に荷物がある時でも、専用の布団袋を使用せずに、敷布団を折り畳み、その内側にはさんだ掛布団等を落とさず、敷、掛布団等を安定した状態で、楽に運搬する事のできる布団袋を兼ねた敷布団カバーの提供を、第一の目的とする。
【課題を解決するための手段】
【０００７】
布団袋を兼ねる為に、敷布団カバーの上端と下端に持ち手を設けるとともに、左右両側に互いに協働する留め具を設けた。
【０００８】
又、敷布団として使用する際に、乳幼児の頭や手足等がひっかかる危険のないように、前記持ち手又は、留め具を収納できる収納部を設けるか、又は、前記持ち手又は、留め具を固定する固定具を設けた。
【０００９】
又、前記留め具は、留め具同士に連結構造をもたせた。
【考案の効果】
【００１０】
持ち手と留め具を設けた第一の考案においては、敷布団カバーを取り付けた敷布団を運搬する際にはそれを二つ折りにし、留め具を連結すれば、上下端に設けた持ち手は揃い、たとえ二つ折りの間に掛布団等を挟みこんだとしても、それらは安定した状態に保持され、二つ折りの隙間から掛布団等が落ちることがない。したがって、乳幼児を連れていたり、他の荷物も運搬する場合でも非常に楽に運搬することができる。
【００１１】
さらに持ち手や留め具収納部や固定具を設けた第二の考案においては、持ち手や留め具による危険性が排除され、安全な使用が保証される。
【００１２】
留め具同士に連結構造を持たせた第三の考案においては、留め具の連結が容易に行える。
【考案を実施するための最良の形態】
【００１３】
図１で示すように、本考案の布団袋を兼ねた敷布団カバー１の外側５の上端と下端に、敷、掛布団の運搬時に使用される持ち手２が設けられている。この持ち手は、柔らかな帯状の紐からなり、その長さは、手で持つに都合の良い長さとしたり、肩に掛けるに都合の良い長さになっている。又、場合によっては、長さを調節できるタイプの物としてもよい。
【００１４】
さらに、敷布団カバー１の外側５の左右両側に留め具３である紐３１〜３４の一端が取り付けられている。この紐３１〜３４は運搬時に図３で示すように、二つに折り畳んだ敷布団の左側の紐３１と右側の紐３１とが、又、左側の紐３２と右側の紐３２とが結ばれ、裏側では同様に紐３３と紐３３とが、紐３４と紐３４とが結ばれる。このようにして、布団袋が完成される。したがって、図１で示す一対の紐３１、３２、３３、３４のそれぞれが本考案でいう互いに協動する留め具３である。
【００１５】
図２に、持ち手２と留め具３を固定する為の固定具４を設けた本考案の敷布団カバー１を示す。この持ち手２を固定する固定具４は、持ち手２近くに取り付けた紐であり、図に示すようにその紐で持ち手２を縛り、敷布団カバーの外側５に固定する。又、留め具３である紐は隣り合う紐同士が、結び合える長さとすることによって、それ自身が固定具にもなっているものである。
【００１６】
図４に持ち手２を収納する為の収納部８と留め具３を収納する為の収納部７とを設けた本考案の敷布団カバー１を示す。この収納部７、８は、持ち手２や留め具３の取り付け部を覆うように布地等のシート周辺が縫い付けられているが、少なくとも敷布団カバー１の端方向近くの周辺部は、縫い付けられず、開口部を有している。したがって、持ち手２や留め具３を使用する際には、その開口部から取り出せるようになっている。
【００１７】
敷布団として使用する際は、乳幼児の頭や手足等が、図１で示す敷布団カバー上端と下端の持ち手２、又は、左右両側の留め具３にひっかかる危険のないように必ず、敷布団の表から持ち手２と留め具３が見えず、出てこないように、持ち手２は図２で示すように固定具４を使用し固定させるか、又は、図４で示すように収納部８に収納する。留め具３は、図２で示すように、留め具３同士を連結させるか、図４で示すように収納部７に収納する。又、留め具３は、持ち手２同様、別体の固定具によって固定することもできる。
【００１８】
留め具３は、図１、２、３、４では、分かりやすく紐で表してある。又、固定具４も図２では、分かりやすく紐で表してある。
【００１９】
図４は、分かりやすいように、上側の留め具３は収納後、下側の留め具３は収納前の状態を表し、持ち手２も留め具３同様に左右で収納前と収納後の状態を表してある。
【００２０】
留め具３は紐以外に、一端がカバーに取り付けられ、他端にボタン孔、ホックの一方、あるいは面ファスナーの一方が取り付けられた帯状体で、それらと協動するものとしてボタンやホックの他方、面ファスナーの一方をカバーに取り付けても良い。
【００２１】
固定具４も留め具３同様、紐以外にボタン、ホック、面ファスナー等が使用できる。
【図面の簡単な説明】
【００２２】
【図１】敷布団カバーを外側からみた平面図
【図２】敷布団として使用する際の、持ち手と留め具を固定具の紐で固定した状態を示す図
【図３】掛布団等を内側にはさみ、布団袋として使用した状態の図
【図４】収納部を設けた場合の敷布団として使用する際の持ち手、留め具の収納前、収納後を表した布団の裏の図
【符号の説明】
【００２３】
１  敷布団カバー
２  持ち手
３  留め具
４  固定具
５  敷布団カバー外側
６  敷布団カバー内側
７  留め具３の収納部
８  持ち手２の収納部
【図１】
0003118404.tif 000003
【図２】
0003118404.tif 000004
【図３】
0003118404.tif 000005
【図４】
0003118404.tif 000006